(57)【要約】      （修正有）【課題】床面全体が適度な剛性と柔軟性を兼ね備え、且つ適度な重量を有する、遮音性に優れた二重床構造を提供する。【解決手段】コンクリート床スラブ等からなる床基盤１０の上に弾性台座２１を介して立設された支持脚２０群によって、複数の床下地材１が所定高さレベルに支持された二重床構造において、該床下地材１上に接して設けられ、隣り合う床下地材１、１’を緊結する、厚さ４〜６ｍｍ且つ比重０．８〜１．２の木質繊維板からなる緊結パネル２と、該緊結パネル２上に接して設けられる、厚さ３〜５ｍｍかつ比重２．０〜２．５の可撓性を有する制振材３と、該制振材３上に、厚さ３〜６ｍｍの床仕上材４が敷設された二重床構造。【選択図】図１
2009270372.tif 000002
【特許請求の範囲】
【請求項１】
コンクリート床スラブ等からなる床基盤の上に弾性台座を介して立設された支持脚群によって、複数の床下地材が所定高さレベルに支持された二重床構造において、
該床下地材上に接して設けられ、隣り合う床下地材を緊結する、厚さ４〜６ｍｍ且つ比重０．８〜１．２の木質繊維板からなる緊結パネルと、
該緊結パネル上に接して設けられる、厚さ３〜５ｍｍかつ比重２．０〜２．５の可撓性を有する制振材と、
該制振材上に、厚さ３〜６ｍｍの床仕上材が敷設されたことを特徴とする二重床構造
【請求項２】
前記緊結パネルに前記制振材が固定されていないことを特徴とする請求項１に記載の二重床構造
【請求項３】
前記床仕上材が、比重０．４〜１．０の木質繊維板の表面に化粧シートが貼着されていることを特徴とする請求項１又は請求項２に記載の二重床構造
【発明の詳細な説明】
【技術分野】
【０００１】
主に住宅で使用される遮音床構造で、施工性と遮音性に優れた遮音二重床構造を提供する。
【背景技術】
【０００２】
従来の、集合住宅で使用される遮音二重床構造は、床仕上材として１２ｍｍの合板基材フロアを使用するのが一般的である。この場合、例えば特許文献１や特許文献２のような方法が提案されている。
【０００３】
特許文献１では、コンクリート床スラブ等よりなる床基盤の上に床下空間を介して敷設された床パネル材の上にアスファルトマット等の高比重遮音床用マットを介してこの上に床仕上材を設ける。これにより、優れた遮音性能の床構成を実現できる。アスファルトマットの両面には紙が積層一体化されており、床パネルとアスファルトマットと床仕上材が、酢酸ビニルエマルジョン系の接着剤により貼着一体化されている。
【０００４】
しかし、特許文献１の発明の場合は、使用するアスファルトマットが比重２．０〜２．５程度と非常に比重が大きいにもかかわらず、床仕上面上で発生した振動を床下地パネルに伝達しにくくするために８ｍｍ程度の厚みのものが最も一般的に使用され、施工時の搬入に重いため、軽量化が望まれていた。しかし、アスファルトマットの比重を単純に軽くすると制振効果が弱くなり、遮音性能の低下を招く。
【０００５】
これを解決する方法として、特許文献２にあるように、床仕上材と、該床仕上材の下に接して設けられる平均密度が０．８５〜１．０５の木質繊維板からなる制振材と、該制振材の下に接して設けられる床下地材と、該床下地材を床基盤から離して支える複数の支持手段とを備えてなる置き床が提案されている。
【特許文献１】特開平１０−２５９６５８
【特許文献２】特開２００５−７４６９４
【発明の開示】
【発明が解決しようとする課題】
【０００６】
しかし、特許文献２の方法によると、床下地としての剛性は確保できているが、特許文献１のアスファルトマットに相当するものがないため、床仕上材上で発生した音がそのまま床下地材に伝達され、床下地材全体が共振、振動することによって遮音性能が思ったほどあがらないという問題があった。
【０００７】
また、従来の１２ｍｍの合板基材の床材を特許文献1のような二重床構造の床仕上材として使用した場合は、床仕上材上で発生した音と制振材の距離が１２mmも離れているため、遮音性能が思ったほどあがらないという問題があった。
【課題を解決するための手段】
【０００８】
上記の目的を達成するために、請求項１に記載の発明は、コンクリート床スラブ等からなる床基盤の上に弾性台座を介して立設された支持脚群によって、複数の床下地材が所定高さレベルに支持された二重床構造において、該床下地材上に接して設けられ、隣り合う床下地材を緊結する、厚さ４〜６ｍｍ且つ比重０．８〜１．２の木質繊維板からなる緊結パネルと、該緊結パネル上に接して設けられる、厚さ３〜５ｍｍかつ比重２．０〜２．５の可撓性を有する制振材と、該制振材上に、厚さ３〜６ｍｍの床仕上材が敷設されたことを特徴とする。
【０００９】
こうすることにより、床下地材同士が厚さ４〜６ｍｍ且つ比重０．８〜１．２の木質繊維板からなる緊結パネルにより緊結一体化されるため、床全体が適度な剛性とたわみ性を有する。
【００１０】
また、この緊結パネルの上に厚さ３〜５ｍｍかつ比重２．０〜２．５の制振材が接して設けられるので、二重床構造全体に適度な重量が付与される。
【００１１】
さらに、この制振材の上に厚さ３〜６ｍｍの床仕上材が接して設けられる。この場合、薄い厚みの床仕上材を使用することにより、発生音源と遮音材の距離が近くなり、よりすぐれた遮音性能を実現することができる。
【００１２】
また、請求項２の発明では、請求項１に記載の二重床構造において、前記緊結パネルに前記制振材が固定されていないことを特徴とする。この場合、制振材が自由に動けるため、制振材の遮音性能を最大限に活かせる、遮音性能に優れた二重床構造を提供することができる。
【００１３】
さらに、請求項３の発明では、請求項１又は請求項２に記載の二重床構造において、前記床仕上材として比重０．４〜１．０の木質繊維板の表面に化粧シートが貼着されているので、二重床全体が有する適度な剛性とたわみ性を損なうことなく、凹み傷や引きずり傷がつきにくい美麗な仕上がりの二重床構造を提供することが可能である。
【発明の効果】
【００１４】
以上説明したように、本発明の二重床構造によると、床面全体が適度な剛性と柔軟性を兼ね備え、且つ適度な重量を有するため、施工性、遮音性及び意匠性に優れた二重床構造を提供することができる。
【００１５】
また、重さが問題となっていた制振材の一部を剛性を有する軽量な木質繊維板に置き換えることにより、制振材の重さの問題は解決できる。一方、二重床構造の軽量化により遮音性能が落ちた場合も、床仕上材を３〜６ｍｍと薄くすることにより、従来の遮音二重床構成と同等以上の優れた性能を有する二重床構造を提供することができる。
【発明を実施するための最良の形態】
【００１６】
以下、本発明の最良の実施形態を実施例の図面に基づいて詳細に説明する。以下の好ましい実施形態の説明は、本質的な例示に過ぎず、本発明、その適用物或いはその用途を制限することを意図するものでは全くない。
【００１７】
図１は、本発明にかかる二重床構造の実施例を示す一部拡大断面図である。コンクリート床スラブ等からなる床基盤１０の上に複数の支持脚２０によって、隣り合う床下地材１、１’が所定高さレベルに支持されている。支持脚２０は、弾性台座２１、鋼製脚２２、受け座２３からなり、弾性台座２１が床基盤１０に接するようにして設置される。床下地材１、１’は、木ねじ、釘、両面テープや接着剤等の固着手段で受け座２３に固定されている。
【００１８】
床下地材１の上には、緊結パネル２が接して設けられ、隣り合う床下地材１、１’が木ねじ、釘、両面テープや接着剤等の固着手段で緊結されている。緊結パネル２としては、ＪＩＳ−５９０７に規定されるＭＤＦやハードボード等の木質繊維板がよいが、好適にはハードボードが用いられる。ハードボードは、厚さ４〜６ｍｍ且つ比重０．８〜１．２の湿式抄造で製造された木質繊維板からなる。緊結パネル２の厚さが４ｍｍに満たない場合は、二重床構造全体としての強度が不足し、６ｍｍを超えると二重床構造全体の剛性が高くなりすぎるため遮音性能が悪くなり、好ましくない。
【００１９】
緊結パネル２の上には、制振材３が接して設けられる。制振材３は、アスファルト系樹脂、塩ビ系樹脂、ポリエチレン又はポリプロピレン等のオレフィン系樹脂、ゴム又はラテックス系樹脂、シリコン系樹脂又はこれらの混合物からなる樹脂分と、無機粉体、金属粉体等の充填材を、樹脂分が１００重量％に対し、充填材が５００〜１０００重量％混合し、厚さ３〜５ｍｍかつ比重２．０〜２．５に調整したものである。厚さが３ｍｍに満たない場合は全体的な重量が不足し、５ｍｍを超えると、全体の重量が重くなるため、施工性が悪くなり好ましくない。
【００２０】
また、制振材３は木ねじ、釘、両面テープや接着剤等の固着手段で緊結パネル２に固定してもよいが、制振効果をより発揮するためには、固定しないのが望ましい。
【００２１】
制振材３の上には、床仕上材４が接して設けられる。床仕上材４は、クッションフロアや樹脂タイルといわれる合成樹脂基材や、合板、木質繊維板等の木質基材からなり、３〜６ｍｍ程度の厚みを有する。これらの床材が、釘、ビス、接着剤又は両面テープ等により固着されている。制振材３が固定されていない場合は、緊結パネル２に至る長さの釘やビスを使用し、床仕上材４を緊結パネル２に固定する。３ｍｍに満たない場合は、例えば局所加重が作用したときに、直下の制振材３に床仕上材４がめりこんで、床仕上材４が破壊される心配がある。６ｍｍを超えると、表面の発生音源と制振材３との距離が遠くなり、遮音効果が弱くなる。
【００２２】
床仕上材４としてもっとも好ましくは、厚さ３〜６ｍｍ且つ比重０．４〜１．０の木質繊維板の表面に化粧シートが貼着されている床仕上材４を使用する。比重０．４〜１．０と高比重なので、床上に家具等を設置した場合にも傷つきにくく、長期の耐久性に優れた二重床構造を提供することができる。
【実施例】
【００２３】
床基盤１０として、一般的なコンクリートスラブ上に施工した場合を想定し、実施例及び比較例を施工した。
（実施例）
【００２４】
コンクリートスラブからなる床基盤１０上に、ゴム製の弾性台座２１、鋼製脚２２及び受け座２３を有する支持脚２０を弾性台座２１が床基盤１０に接した状態で立設した。立設した支持脚２０の受け座２３に床下地材１を載置し、受け座２３と床下地材１を木ねじで固着した。床下地材１としては、２０ｍｍのパーティクルボードを使用した。隣り合った床下地材１、１’をまたぐように、比重１．０、厚さ５．２ｍｍのハードボードからなる緊結パネル２を木ねじで固定し、床下地材同士を緊結した。更に、この緊結パネル２の上に、ブローンアスファルト１２０重量部、ＳＢＲ系熱可塑性エラストマー５重量部、珪砂３００重量部、鉄粉５００重量部、界面活性剤０．５重量部、炭酸カルシウム５重量部を加熱混練成型し、不織布で両面を被覆した比重２．４、厚さ４．０ｍｍの制振材３を載置した。さらに、制振材３の上に床仕上材４を載置し、緊結パネルに至る長さの釘で固定し、二重床構造を得た。床仕上材４としては、厚さ６ｍｍ且つ比重０．６の木質繊維板の表面にオレフィン系樹脂化粧シートを貼着した床仕上材４を使用した。制振材３が４ｍｍと薄いため、従来用いられている８ｍｍの制振材３と比べて軽く、施工性に優れるものであった。
【００２５】
また、こうして得られた二重床構造に対し、床衝撃音レベル低減量試験（ＪＩＳ  Ａ  １４４０）に基づき、試験を行った。床衝撃音レベル低減量試験とは、重量および軽量衝撃源により階上の床表面を加振し、階下で受音する。床仕上げ材仕上の場合は、上階の床版上に床仕上げ材を施工して試験を行い、床版素面加振時と比較して床衝撃音レベル低減量を求める。軽量床衝撃音（ＪＩＳ  Ａ  １４４０−１）の試験データは図２に、重量床衝撃音（ＪＩＳ  Ａ  １４４０−２）の試験データは図３に示した。軽量床衝撃音、重量床衝撃音ともに比較例１、比較例２と比べて、改善効果が確認された。
（比較例１）
【００２６】
実施例の床仕上材４に替えて、一般的な１２ｍｍの突板張り合板基材の床仕上材を施工した以外は、同じ条件で二重床構造を得た。施工性は、実施例とそれほど変わらず、良好であった。
【００２７】
また、こうして得られた二重床構造に対し、床衝撃音レベル低減量試験（ＪＩＳ  Ａ  １４４０）に基づき、試験を行った。軽量床衝撃音の試験データは図２に、重量床衝撃音の試験データは図３に示した。軽量床衝撃音、重量床衝撃音とも、実施例に比べると１２５〜２０００Ｈｚの周波数領域で、劣る遮音性能となった。
（比較例２）
【００２８】
コンクリートスラブからなる床基盤１０上に、ゴム製の弾性台座２１、鋼製脚２２及び受け座２３を有する支持脚２０を弾性台座２１が床基盤１０に接した状態で立設した。立設した支持脚２０の受け座２３に床下地材１を載置し、受け座２３と床下地材１を木ねじで固着した。床下地材１としては、２０ｍｍのパーティクルボードを使用した。隣り合った床下地材１、１’をまたぐように、制振材を木ねじで固定した。制振材としては、実施例と同一組成で、比重２．４、厚さ８．０ｍｍの制振材を使用した。さらに、制振材の上に一般的な１２ｍｍの突板張り合板基材の床材を施工した。従来用いられている８ｍｍの制振材のため、施工時の搬入及び施工に際し、重く、作業性が悪かった。
【００２９】
また、こうして得られた二重床構造に対し、床衝撃音レベル低減量試験（ＪＩＳ  Ａ  １４４０）に基づき、試験を行った。軽量床衝撃音の試験データは図２に、重量床衝撃音の試験データは図３に示した。実施例と比較すると、軽量床衝撃音では１２５〜２０００Ｈｚの周波数領域で、重量床衝撃音では１２５〜１０００Ｈｚの周波数域で、劣る遮音性能となった。
【産業上の利用可能性】
【００３０】
主に住宅で使用される遮音床構造で、施工性と遮音性に優れた遮音二重床構造を提供するのに有用である。
【図面の簡単な説明】
【００３１】
【図１】本発明の実施形態に係る二重床構造の一部拡大断面図である。
【図２】実施例で測定した軽量床衝撃音の測定結果を示すグラフである。
【図３】実施例で測定した重量床衝撃音の測定結果を示すグラフである。
【符号の説明】
【００３２】
１、１’  床下地材
２        緊結パネル
３        制振材
４        床仕上材
１０      床基盤
２０      支持脚
２１      弾性台座
２２      鋼製脚
２３      受け座
【図１】
2009270372.tif 000003
【図２】
2009270372.tif 000004
【図３】
2009270372.tif 000005